(57)【特許請求の範囲】
【請求項１】
電源設計における回路設計に用いる電源設計のための計算装置において、
電源の電気的仕様を示す仕様書データ・ベースを作成する仕様書データ・ベース作成手段と、
前記仕様書データ・ベース作成手段により作成された仕様書データ・ベースに基づき電源の回路を合成する回路合成手段と
を有し、
作業者が操作可能な入力デバイスと、
前記作業者が視認可能な画面を備えた表示装置と、
電源の電気的仕様の数値に対応させて所定の機能を有する機能ブロック回路を記憶する記憶手段と
を備えた電源設計のための計算装置であって、
前記仕様書データ・ベース作成手段は、
前記作業者が前記表示装置の所定の画面を参照して前記入力デバイスを用いて選択または入力した情報を、前記作業者が所望の電源を設計する際に用いる電気的仕様として入力する入力手段と、
前記入力手段により入力された電気的仕様に基づいて、所定の電気的仕様を算出する算出手段と、
前記入力手段により入力された電気的仕様および前記算出手段により算出された電気的仕様が、前記所望の電源の目的の仕様であるか否かを判定する判定手段と、
前記判定手段により前記所望の電源の目的の仕様であると判定された場合にのみ、前記入力手段により入力された電気的仕様および前記算出手段により算出された電気的仕様を、仕様書データ・ベースを構成する情報として記憶する電気的仕様記憶手段と、
前記電気的仕様記憶手段により記憶された情報を仕様書データ・ベースとして保存する保存手段と、
を有して構成され、
前記回路合成手段は、
前記保存手段に保存された仕様書データ・ベースのなかから、前記作業者が前記入力デバイスを用いて選択した仕様書データ・ベースを、前記作業者が所望の電源を設計する際に用いる電気的仕様として入力する仕様書データ・ベース入力手段と、
前記仕様書データ・ベース入力手段によって入力された電気的仕様に応じて、前記記憶手段に記憶された前記機能ブロック回路を前記表示装置の表示画面に表示する表示手段と、
前記表示装置の表示画面に表示された前記機能ブロック回路のなかから、前記作業者が前記入力デバイスを用いて選択した機能ブロック回路を、電源の回路を合成するための機能ブロック回路として入力する機能ブロック回路入力手段と、
前記機能ブロック回路入力手段によって入力された前記機能ブロック回路を結合して電源の回路を合成する合成手段と
を有することを特徴とする電源設計のための計算装置。
【請求項２】
請求項１に記載の電源設計のための計算装置において、さらに、
前記保存手段により保存された仕様書データ・ベースを、所定の形式の仕様書に変換する変換手段
を有することを特徴とする電源設計のための計算装置。
【請求項３】
請求項１または請求項２のいずれか１項に記載の電源設計のための計算装置において、さらに、
前記合成手段によって合成された電源の回路に部品番号を割り付ける部品番号割り付け手段
を有することを特徴とする電源設計のための計算装置。
【請求項４】
請求項１、請求項２または請求項３のいずれか１項に記載の電源設計のための計算装置において、さらに、
前記合成手段によって合成された電源の回路に電気的属性を割り付ける電気的属性割り付け手段
を有することを特徴とする電源設計のための計算装置。
【請求項５】
請求項１、請求項２、請求項３または請求項４のいずれか１項に記載の電源設計のための計算装置において、さらに、
前記合成手段によって合成された電源の回路の検証を行う回路検証手段
を有することを特徴とする電源設計のための計算装置。
【発明の詳細な説明】
【０００１】
【発明の属する技術分野】
本発明は、電源設計のための計算装置に関し、さらに詳細には、電源設計における回路設計に用いて好適な電源設計のための計算装置に関する。
【０００２】
【従来の技術】
従来より、電源設計における回路設計は、一般的な回路方式を利用してなされることが多かった。即ち、それぞれが所定の機能を有する回路を複数流用し、当該流用した所定の機能を有する回路を複数組み合わせることにより、所望の回路の設計を行うことが多かった。
【０００３】
つまり、従来の電源設計のための回路設計においては、当該設計する電源に最適な所定の機能を有する回路を選択して流用することによって、設計される電源の回路の品質を維持するようになされていた。
【０００４】
しかしながら、従来の電源設計における回路設計に際しては、上記した設計する電源に最適な所定の機能を有する回路の選択と流用とは、電源設計における回路設計を行う作業者の設計経験に基づいて行われていた。
【０００５】
即ち、回路の選択と流用とは作業者の力量に因るところが大きく、所定の電源の設計に際して流用される所定の機能を有する回路の種類が作業者によって異なるような場合もあり、作業者によって設計される電源の回路の品質にばらつきが生じるようになってしまい、一定の品質を維持することができないという問題点があった。
【０００６】
また、従来の電源設計における回路設計に際しては、所定の機能を有する回路を複数流用して組み合わせた後の接続間違えや電圧間違えなどのチェックを、電源設計における回路設計を行う作業者が行わなければならなかった。
【０００７】
このため、電源設計における回路設計に多くの時間を費やさざるを得ないとともに、設計間違えが生じ易いという問題点があった。
【０００８】
【発明が解決しようとする課題】
本発明は、上記したような従来の技術の有する問題点に鑑みてなされたものであり、その目的とするところは、電源設計における回路設計を行う作業者毎に品質のばらつきを生じるようなことをなくし、電源の回路の品質を維持することができるようにした電源設計のための計算装置を提供しようとするものである。
【０００９】
また、本発明の目的とするところは、電源設計における回路設計の時間を短縮することができるようにするとともに、設計間違えを抑止することができるようにした電源設計のための計算装置を提供しようとするものである。
【００１０】
【課題を解決するための手段】
上記目的を達成するために、本発明のうち請求項１に記載の発明は、電源設計における回路設計に用いる電源設計のための計算装置において、電源の電気的仕様を示す仕様書データ・ベースを作成する仕様書データ・ベース作成手段と、上記仕様書データ・ベース作成手段により作成された仕様書データ・ベースに基づき電源の回路を合成する回路合成手段とを有し、作業者が操作可能な入力デバイスと、上記作業者が視認可能な画面を備えた表示装置と、電源の電気的仕様の数値に対応させて所定の機能を有する機能ブロック回路を記憶する記憶手段とを備えた電源設計のための計算装置であって、上記仕様書データ・ベース作成手段は、上記作業者が上記表示装置の所定の画面を参照して上記入力デバイスを用いて選択または入力した情報を、上記作業者が所望の電源を設計する際に用いる電気的仕様として入力する入力手段と、上記入力手段により入力された電気的仕様に基づいて、所定の電気的仕様を算出する算出手段と、上記入力手段により入力された電気的仕様および上記算出手段により算出された電気的仕様が、上記所望の電源の目的の仕様であるか否かを判定する判定手段と、上記判定手段により上記所望の電源の目的の仕様であると判定された場合にのみ、上記入力手段により入力された電気的仕様および上記算出手段により算出された電気的仕様を、仕様書データ・ベースを構成する情報として記憶する電気的仕様記憶手段と、上記電気的仕様記憶手段により記憶された情報を仕様書データ・ベースとして保存する保存手段と、を有して構成され、上記回路合成手段は、上記保存手段に保存された仕様書データ・ベースのなかから、上記作業者が上記入力デバイスを用いて選択した仕様書データ・ベースを、上記作業者が所望の電源を設計する際に用いる電気的仕様として入力する仕様書データ・ベース入力手段と、上記仕様書データ・ベース入力手段によって入力された電気的仕様に応じて、上記記憶手段に記憶された上記機能ブロック回路を上記表示装置の表示画面に表示する表示手段と、上記表示装置の表示画面に表示された上記機能ブロック回路のなかから、上記作業者が上記入力デバイスを用いて選択した機能ブロック回路を、電源の回路を合成するための機能ブロック回路として入力する機能ブロック回路入力手段と、上記機能ブロック回路入力手段によって入力された上記機能ブロック回路を結合して電源の回路を合成する合成手段とを有するようにしたものである。
【００１１】
従って、本発明のうち請求項１に記載の発明によれば、自動的に電源の回路が合成されるので、電源設計における回路設計を行う作業者毎に品質のばらつきを生じるようなことがなく、電源の回路の品質を維持することができるようになる。
【００１２】
また、本発明のうち請求項１に記載の発明によれば、自動的に電源の回路が合成されるので、電源設計における回路設計の時間を短縮することができるようになるとともに、設計間違えを抑止することができるようになる。
【００１３】
ここで、本発明のうち請求項２に記載の発明のように、本発明のうち請求項１に記載の発明において、さらに、上記保存手段により保存された仕様書データ・ベースを、所定の形式の仕様書に変換する変換手段を有するようにしてもよい。
【００１４】
また、本発明のうち請求項３に記載の発明のように、本発明のうち請求項１または請求項２のいずれか１項に記載の発明において、さらに、上記合成手段によって合成された電源の回路に部品番号を割り付ける部品番号割り付け手段を有するようにしてもよい。
【００１５】
また、本発明のうち請求項４に記載の発明のように、本発明のうち請求項１、請求項２または請求項３のいずれか１項に記載の発明において、さらに、上記合成手段によって合成された電源の回路に電気的属性を割り付ける電気的属性割り付け手段を有するようにしてもよい。
【００１６】
また、本発明のうち請求項５に記載の発明のように、本発明のうち請求項１、請求項２、請求項３または請求項４のいずれか１項に記載の発明において、さらに、上記合成手段によって合成された電源の回路の検証を行う回路検証手段を有するようにしてもよい。
【００１７】
【発明の実施の形態】
以下、添付の図面を参照しながら、本発明による電源設計のための計算装置の実施の形態の一例を詳細に説明する。
【００１８】
まず、図１には、本発明による電源設計のための計算装置の実施の形態の一例を表すブロック構成図が示されている。
【００１９】
この図１に示す本発明による電源設計のための計算装置は、中央処理装置（ＣＰＵ）１０により全体の動作の制御が行われるものである。
【００２０】
そして、ＣＰＵ１０には、バス１２を介して、ＣＰＵ１０を動作するためのプログラムなどが記憶されたリード・オンリ・メモリ（ＲＯＭ）や各種のデータなどを記憶したランダム・アクセス・メモリ（ＲＡＭ）などから構成される内部記憶装置１４と、マウスなどのポインティング・デバイス１６と、キーボードなどの文字入力デバイス１８と、ＣＲＴや液晶表示装置（ＬＣＤ）などにより構成される表示装置２０と、各種のデータなどを記憶したハード・ディスクなどから構成される外部記憶装置２２と、所望のデータを紙片に印刷する印刷装置２４とが接続されている。
【００２１】
ここで、上記したように表示装置２０は、例えば、ＣＲＴや液晶表示装置（ＬＣＤ）により構成され、当該表示装置２０の画面上には各種の設定画面が表示されるものである。
【００２２】
そして、ポインティング・デバイス１６や文字入力デバイス１８は、表示装置２０の画面上における所望の位置を選択したりあるいは所望の数値などを入力することにより、作業者の所望の指示を入力するものである。
【００２３】
当該ポインティング・デバイス１６や文字入力デバイス１８の操作により行われた各種設定の内容はＣＰＵ１０により処理されて、本発明による電源設計のための計算装置の処理に用いられる情報として内部記憶装置１４の所定のエリアに記憶される。
【００２４】
以上の構成において、本発明による電源設計のための計算装置は、作業者がポインティング・デバイス１６や文字入力デバイス１８によって、表示装置２０の他システムとのインタフェース表示画面（図示せず）の所定の位置を選択することによって起動されるものである。
【００２５】
そして、図２乃至図６に示す本発明による電源設計のための計算装置の処理を示す説明図と、図７乃至図１５に示す表示装置２０の表示画面の一例を示す説明図とを参照しながら、本発明による電源設計のための計算装置の処理について説明することとする。
【００２６】
なお、以下においては、説明を簡略化して理解を容易にするために、スイッチング電源設計における回路設計を例として、当該スイッチング電源設計における回路設計に、本発明による電源設計のための計算装置を用いる場合の処理について説明するものとする。
【００２７】
ここで、本発明による電源設計のための計算装置の処理の概要について説明すると、本発明による電源設計のための計算装置の処理においては、仕様書データ・ベース作成処理と回路合成処理との２つの処理が順次行われるものであり、これによりスイッチング電源設計における回路設計がなされるものであり、以下、当該２つの処理のそれぞれについて詳細に説明することとする。
【００２８】
（１）仕様書データ・ベース作成処理
この仕様書データ・ベース作成処理においては（図２乃至図３参照）、作業者が表示装置２０の画面（図７乃至図１０参照）を参照しながらポインティング・デバイス１６や文字入力デバイス１８を操作することにより、スイッチング電源を設計する際に必須の電気的仕様を示す仕様書データ・ベース３０が自動的に作成されることになるものである。
【００２９】
より詳細には、「ＡＣ入力仕様」、「ＤＣ入力仕様」、「ＤＣ出力仕様」ならびに「入力仕様」の設定処理を行い、当該「ＡＣ入力仕様」、「ＤＣ入力仕様」、「ＤＣ出力仕様」ならびに「入力仕様」の設定処理による選択指定情報がＣＰＵ１０により処理されて、仕様書データ・ベース３０が自動的に作成される。
【００３０】
そして、当該自動的に作成された仕様書データ・ベース３０は、本発明による電源設計のための計算装置の処理に用いられる情報として、内部記憶装置１４の所定のエリアに記憶される。
【００３１】
さらに、この仕様書データ・ベース作成処理においては、作成された仕様書データ・ベース３０から製品仕様書４０が作成される。
【００３２】
（１−１）ＡＣ入力仕様の設定（ステップＳ１０２乃至ステップＳ１０６）
まず、この仕様書データ・ベース作成処理においては、図７に示す「仕様作成」画面において、スイッチング電源がＡＣ−ＤＣコンバータであるか、あるいは、スイッチング電源がＤＣ−ＤＣコンバータであるかに応じてそれぞれ、「ＡＣ入力仕様」あるいは「ＤＣ入力仕様」の設定処理を行う。
【００３３】
設計の対象となるスイッチング電源がＡＣ−ＤＣコンバータである場合には、ステップＳ１０２の処理において「ＡＣ入力仕様」の設定処理を行う。
【００３４】
より詳細には、当該「ＡＣ入力仕様」の設定処理は、まず、作業者がポインティング・デバイス１６や文字入力デバイス１８を用いて、図７に示す「仕様作成」画面のＡＣ入力エリア７０２ａを選択する。
【００３５】
そして、当該ＡＣ入力エリア７０２ａの「入力電圧」欄７０４において、「ＡＣ１００Ｖ系」、「ＡＣ２３０Ｖ系」、「ワールドワイド１」、「ワールドワイド２」ならびに「その他」のうちのいずれか所望の入力電圧範囲を選択する。
【００３６】
また、「安全規格」欄７０６において、「ＵＬ」、「ＩＥＣ」、「ＣＳＡ」ならび「電取」のうちのいずれか所望の安全規格を選択する。
【００３７】
そして、「ＥＭＩ規格」欄７０８において、「ＶＣＣＩ−Ａ」、「ＶＣＣＩ−Ｂ」、「ＣＩＳＰＲ−Ａ」、「ＣＩＳＰＲ−Ｂ」ならびに「ＦＣＣ−Ａ」のうちのいずれか所望のＥＭＩ規格を選択する。
【００３８】
「高調波対策」欄７１０においては、高調波電流の対応を考慮する場合にのみ、当該「高調波対策」欄７１０を選択する。
【００３９】
そして、上記したような作業者による図７に示す「仕様作成」画面のＡＣ入力エリア７０２ａの各欄における選択により、ステップＳ１０２の処理においては、「入力電圧」欄７０４の選択によって入力電圧範囲選択入力１０２ａが行われ、「安全規格」欄７０６の選択によって安全規格選択入力１０２ｂが行われ、「ＥＭＩ規格」欄７０８の選択によってＥＭＩ規格選択入力１０２ｃが行われ、「高調波対策」欄７１０の選択によって高調波電流選択入力１０２ｄが行われる。
【００４０】
例えば、図７に示す状態は、「入力電圧」欄７０４において「ワールドワイド１」が選択され、「安全規格」欄７０６において「ＵＬ」と「ＩＥＣ」とが選択され、「ＥＭＩ規格」欄７０８において「ＣＩＳＰＲ−Ｂ」が選択され、「高調波対策」欄７１０が選択されているものである。
【００４１】
従って、「ワールドワイド１」が入力電圧範囲選択入力１０２ａによる選択指定情報となり、「ＵＬ」と「ＩＥＣ」とが安全規格選択入力１０２ｂによる選択指定情報となり、「ＣＩＳＰＲ−Ｂ」がＥＭＩ規格選択入力１０２ｃによる選択指定情報となり、「高調波電流の対応有り」が高調波電流選択入力１０２ｄによる選択指定情報となる。
【００４２】
次に、ステップＳ１０２の処理に続いて、ステップＳ１０４の処理においては、図７に示す「仕様作成」画面のＡＣ入力エリア７０２ａの「コメント」欄７１２に、上記した「入力電圧」欄７０４、「安全規格」欄７０６、「ＥＭＩ規格」欄７０８ならびに「高調波対策」欄７１０における選択内容に応じて、即ち、選択指定情報に応じた各種の補足説明などのコメントが自動的に表示される。
【００４３】
なお、図７に示す状態は、「入力電圧」欄７０４において選択された「ワールドワイド１」に応じたコメント「ワールドワイド１−入力電圧ＡＣ８５Ｖ〜２６４Ｖ連続」が「コメント」欄７１２に表示されているものである。
【００４４】
ここで、作業者が上記した図７に示す「仕様作成」画面のＡＣ入力エリア７０２ａの各欄の入力を間違えた場合には、「キャンセル」欄７１４を選択すると、各欄の入力を最初から行うことができる。
【００４５】
そして、作業者により上記した図７に示す「仕様作成」画面のＡＣ入力エリア７０２ａの各欄に所望の入力が終了したならば、「完了」欄７１６を選択する。
【００４６】
そうするとステップＳ１０６の処理において、上記したステップＳ１０２の処理における「ＡＣ入力仕様」の設定の内容が、回路設計を行うスイッチング電源（ＡＣ−ＤＣコンバータ）の目的の仕様であるか否かが判断され、回路設計を行うスイッチング電源（ＡＣ−ＤＣコンバータ）の目的の仕様であると判断された場合には、ステップＳ１１４の処理に進むとともに、上記したステップＳ１０２の処理における「ＡＣ入力仕様」の設定における各選択指定情報が内部記憶装置１４の所定のエリアに記憶される。
【００４７】
一方、ステップＳ１０６に判断処理において、ステップＳ１０２の処理における「ＡＣ入力仕様」の設定の内容が、回路設計を行うスイッチング電源（ＡＣ−ＤＣコンバータ）の目的の仕様ではないと判断された場合には、ステップＳ１０２の処理に戻り、再び入力電圧範囲選択入力１０２ａ、安全規格選択入力１０２ｂ、ＥＭＩ規格選択入力１０２ｃならびに高調波電流選択入力１０２ｄを行う。
【００４８】
なお、図７に示す「仕様作成」画面においては、ＡＣ入力エリア７０２ａの他に、後述するＤＣ入力エリア７０２ｂ、出力仕様エリア８０２（図８参照）、入力仕様エリア９０２（図９参照）、仕様確認エリア１００２（図１０参照）などの複数のエリアが所定の順位で設定されているものである。
【００４９】
そして、これら所定の順位を有する複数のエリアはそれぞれの「戻る＜」欄７００，８００，９００，１０００を選択すると、当該エリアより前のエリアに切り換えることができ、「次へ＞」欄７０１，８０１，９０１，１００１を選択すると、当該エリアより後ろのエリアに切り換えることができる。
【００５０】
（１−２）ＤＣ入力仕様の設定（ステップＳ１０８乃至ステップＳ１１２）
設計を行うスイッチング電源がＤＣ−ＤＣコンバータである場合には、ステップＳ１０８の処理において「ＤＣ入力仕様」の設定処理を行い、まず、作業者がポインティング・デバイス１６や文字入力デバイス１８を用いて、図７に示す「仕様作成」画面のＤＣ入力エリア７０２ｂを選択する。
【００５１】
そして、当該ＤＣ入力エリア７０２ｂの「入力電圧」欄（図示せず）において所望の入力電圧範囲を選択し、「安全規格」欄（図示せず）において所望の安全規格を選択し、「ノイズ規格」欄（図示せず）において所望のノイズ規格を選択し、「絶縁／非絶縁」欄（図示せず）において絶縁かあるいは非絶縁かのいずれかを選択する。
【００５２】
そして、上記したような作業者による図７に示す「仕様作成」画面のＤＣ入力エリア７０２ｂの各欄における選択により、ステップＳ１０８の処理においては、「入力電圧」欄（図示せず）の選択によって入力電圧範囲選択入力１０８ａが行われ、「安全規格」欄（図示せず）の選択によって安全規格選択入力１０８ｂが行われ、「ノイズ規格」欄（図示せず）の選択によってノイズ規格選択入力１０８ｃが行われ、「絶縁／非絶縁」欄（図示せず）の選択によって絶縁／非絶縁の選択１０８ｄが行われる。
【００５３】
さらに、ステップＳ１０８の処理に続いて、ステップＳ１１０の処理においては、図７に示す「仕様作成」画面のＤＣ入力エリア７０２ｂの「コメント」欄（図示せず）に、上記した「入力電圧」欄、「安全規格」欄、「ノイズ規格」欄ならびに「絶縁／非絶縁」欄における選択内容に応じて、即ち、選択指定情報に応じた各種の補足説明等のコメントが自動的に表示される。
【００５４】
ここで、作業者が上記した図７に示す「仕様作成」画面のＤＣ入力エリア７０２ｂの各欄の入力を間違えた場合には、「キャンセル」欄（図示せず）を選択すると、各欄の入力を最初から行うことができる。
【００５５】
そして、作業者により上記した図７に示す「仕様作成」画面のＤＣ入力エリア７０２ｂの各欄に所望の入力が終了したならば、「完了」欄（図示せず）を選択する。
【００５６】
そうするとステップＳ１１２の処理において、上記したステップＳ１０８の処理における「ＤＣ入力仕様」の設定の内容が、回路設計を行うスイッチング電源（ＤＣ−ＤＣコンバータ）の目的の仕様であるか否かが判断され、回路設計を行うスイッチング電源（ＤＣ−ＤＣコンバータ）の目的の仕様であると判断された場合には、ステップＳ１１４の処理に進むとともに、上記したステップＳ１０８の処理における「ＤＣ入力仕様」の設定における各選択指定情報が内部記憶装置１４の所定のエリアに記憶される。
【００５７】
一方、ステップＳ１１２に判断処理において、ステップＳ１０８の処理における「ＤＣ入力仕様」の設定の内容が、回路設計を行うスイッチング電源（ＤＣ−ＤＣコンバータ）の目的の仕様ではないと判断された場合には、ステップＳ１０８の処理に戻り、再び入力電圧範囲選択入力１０８ａ、安全規格選択入力１０８ｂ、ノイズ規格選択入力１０８ｃならびに絶縁／非絶縁の選択１０８ｄを行う。
【００５８】
（１−３）ＤＣ出力仕様の設定（ステップＳ１１４乃至ステップＳ１２０）
ステップＳ１１４の処理においては、「ＤＣ出力仕様」の設定処理を行い、まず、作業者がポインティング・デバイス１６や文字入力デバイス１８を用いて、図８に示す表示装置２０の出力仕様エリア８０２の「出力名」欄８０４に所望の出力チャンネル名を設定する。
【００５９】
また、「電圧」欄８０６に所望の出力電圧の数値（単位：Ｖ）を設定し、「最低電流」欄８０８に所望の最低電流の数値（単位：Ａ）を設定し、「定格電流」欄８１０に所望の定格電流の数値（単位：Ａ）を設定し、「ピーク電流」欄８１２に所望のピーク電流の数値（単位：Ａ）を設定する。
【００６０】
さらに、「リップルノイズ」欄（図示せず）においては、リップルノイズの対応を考慮する場合にのみ、当該「リップルノイズ」欄を選択する。
【００６１】
そして、上記したような作業者による図８に示す出力仕様エリア８０２の各欄における選択により、ステップＳ１１４の処理においては、「出力名」欄８０４の設定によって出力チャンネル名入力１１４ａが行われ、「電圧」欄８０６の設定によって出力電圧入力１１４ｂが行われ、「最低電流」欄８０８、「定格電流」欄８１０ならびに「ピーク電流」欄８１２の設定によって出力電流範囲入力１１４ｃが行われ、「リップルノイズ」欄（図示せず）の選択によってリップルノイズ選択入力１１４ｄが行われる。
【００６２】
例えば、図８に示す状態は、「出力名」欄８０４に「５Ｖ」が設定され、「電圧」欄８０６に「５．００」が設定され、「最低電流」欄８０８に「０．０００」が設定され、「定格電流」欄８１０に「１０．００」が設定され、「ピーク電流」欄８１２に「１５．００」が設定されているものである。
【００６３】
そして、ステップＳ１１４の処理を終了すると、ステップＳ１１６の処理に進んで、出力数の計算処理と出力電力の計算処理とが行われる。
【００６４】
出力数の計算処理は、「出力名」欄８０４に設定された出力チャンネルに対応して「電圧」欄８０６、「最低電流」欄８０８、「定格電流」欄８１０ならびに「ピーク電流」欄８１２それぞれに数値が設定されているセットの総数が自動的に算出される。
【００６５】
そして、当該出力数の計算処理の結果は、「出力チャンネル数」欄８１４に表示され、図８に示す状態は、出力チャンネル名「５Ｖ」に対応する１セットのみ数値が設定されて、出力数の総数の「１」が「出力チャンネル数」欄８１４に表示されているものである。
【００６６】
一方、出力電力の計算処理は、まず、「出力名」欄８０４に設定された出力チャンネル毎に、当該出力チャンネルに対応する「電圧」欄８０６の数値と「定格電流」欄８１０の数値とを乗算した積（出力チャンネル毎の電力）を算出する。
【００６７】
そして、複数の出力チャンネルが設定されている場合には、即ち、「出力チャンネル数」欄８１４に「２」以上の数値が表示される場合には、上記したようにして算出される出力チャンネル毎の電力を加算した和（総合出力電力）を算出する。
【００６８】
当該出力電圧の計算処理の結果は、「定格出力電力」欄８１６（単位：Ｗ）に表示される。図８に示す状態は、出力チャンネル名「５Ｖ」のただ１つの出力チャンネルのみが設定されて、総合出力電力たる当該出力チャンネルの電力５０（Ｗ）（＝５．００（Ｖ）×１０．００（Ａ））が「定格出力電力」欄８１６に表示されているものである。
【００６９】
そして、ステップＳ１１６の処理に続いて、ステップＳ１１８の処理においては、図８に示す出力仕様エリア８０２の「コメント」欄８１８に、上記した「出力名」欄８０４、「電圧」欄８０６、「最低電流」欄８０８、「定格電流」欄８１０、「ピーク電流」欄８１２ならびに「リップルノイズ」欄における選択内容に応じて、即ち、選択指定情報に応じた各種の補足説明等のコメントが自動的に表示される。
【００７０】
なお、図８に示す状態は、「出力名」欄８０４に設定された「５Ｖ」に応じたコメントが、即ち、「出力チャンネル数」欄８１４に表示された出力数の総数の「１」に応じたコメント「単出力電源」が「コメント」欄８１８に表示されているものである。
【００７１】
従って、「５Ｖ」が出力チャンネル名入力１１４ａによる選択指定情報となり、「５．００」（即ち、定格出力電圧５Ｖ）が出力電圧入力１１４ｂによる選択指定情報となり、「０．０００」（即ち、最低出力電流０Ａ）、「１０．００」（即ち、定格出力電流１０Ａ）ならびに「１５．００」（即ち、ピーク出力電流１５Ｖ）が出力電流範囲入力１１４ｃによる選択指定情報となり、また、「定格出力電力」欄８１６の「５０（Ｗ）」（即ち、出力電力５０Ｗ）、「コメント」欄８１８の「単出力」が選択指定情報となる。
【００７２】
ここで、作業者が上記した図８に示す出力仕様エリア８０２の各欄の入力を間違えた場合には、「キャンセル」欄８２０を選択すると、各欄の入力を最初から行うことができる。
【００７３】
そして、作業者により上記した図８に示す出力仕様エリア８０２の各欄に所望の入力が終了したならば、「完了」欄８２２を選択する。
【００７４】
そうするとステップＳ１２０の処理において、上記したステップＳ１１４の処理における「ＤＣ出力仕様」の設定の内容が、回路設計を行うスイッチング電源の目的の仕様であるか否かが判断され、回路設計を行うスイッチング電源の目的の仕様であると判断された場合には、ステップＳ１２２の処理に進むとともに、上記したステップＳ１１４における「ＤＣ出力仕様」の設定における各選択指定情報が内部記憶装置１４の所定のエリアに記憶される。
【００７５】
一方、ステップＳ１２０の判断処理において、ステップＳ１１４の処理における「ＤＣ出力仕様」の設定の内容が、回路設計を行うスイッチング電源の目的の仕様ではないと判断された場合には、ステップＳ１１４の処理に戻り、再び出力チャンネル名入力１１４ａ、出力電圧入力１１４ｂ、出力電流範囲入力１１４ｃ、リップルノイズ選択入力１１４ｄを行う。
【００７６】
（１−４）入力仕様の設定（ステップＳ１２２乃至ステップＳ１３２）
ステップＳ１２２の処理においては、「入力仕様」の設定処理を行い、まず、作業者がポインティング・デバイス１６や文字入力デバイス１８を用いて、図９に示す表示装置２０の入力仕様エリア９０２の「効率」欄９０４に所望の効率の数値（単位：％）を設定し、「力率」欄９０６に所望の力率の数値（単位：％）を設定する。
【００７７】
そして、上記したような作業者による図９に示す入力仕様エリア９０２の各欄における選択により、ステップＳ１２２の処理においては、「効率」欄９０４の設定によって効率選択入力１２２ａが行われ、「力率」欄９０６の設定によって力率入力１２２ｂが行われる。
【００７８】
例えば、図９に示す状態は、「効率」欄９０４に「８０．０」が設定され、「力率」欄９０６に「６０．０」が設定されているものである。
【００７９】
そして、ステップＳ１２２の処理を終了すると、ステップＳ１２４の処理に進んで、入力実効電力の計算処理を行う。
【００８０】
入力実効電力の計算処理は、出力仕様エリア８０２の「定格出力電力」欄８１６に表示された総合出力電力の数値を、「効率」欄９０４の数値で除算した商（入力電力）を算出する。
【００８１】
そして、当該入力実効電力の計算処理の結果は、「入力実効電力」欄９０８（単位：Ｗ）に表示され、図９に示す状態は、「定格出力電力」欄８１６に「５０（Ｗ）」が表示され「効率」欄９０４に「８０．０（％）」が設定されて、入力電力６２．５（Ｗ）（＝５０（Ｗ）／８０．０（％））が「入力実効電力」欄９０８に表示されているものである。
【００８２】
ステップＳ１２４の処理に続いて、ステップＳ１２６の処理においては、入力皮相電力の計算処理が行われる。
【００８３】
入力皮相電力の計算処理は、「入力実効電力」欄９０８に表示された入力電力の数値を、「力率」欄９０６の数値で除算した商（皮相電力）を算出する。
【００８４】
そして、当該入力皮相電力の計算処理の結果は、「皮相入力電力」欄９１０（単位：ＶＡ）に表示され、図９に示す状態は、「入力実効電力」欄９０８に「６２．５（Ｗ）」が表示され「力率」欄９０６に「６０．０（％）」が設定されて、皮相電力１０４．２（ＶＡ）（＝６２．５（Ｗ）／６０．０（％））が「皮相入力電力」欄９１０に表示されているものである。
【００８５】
ステップＳ１２６の処理を終了すると、ステップＳ１２８の処理に進んで、入力電流範囲の計算処理を行う。
【００８６】
入力電流範囲の計算処理は、まず、ＡＣ入力エリア７０２ａの「入力電圧」欄７０４（あるいは、ＤＣ入力エリア７０２ｂの「入力電圧」欄（図示せず））における選択に応じた入力電圧の範囲、即ち、最大入力電圧（単位：Ｖ）が欄９１６に最小入力電圧（単位：Ｖ）が欄９１８に自動的に表示される。
【００８７】
そして、「皮相入力電力」欄９１０に表示された皮相入力電力の数値を、欄９１６の最大入力電圧の数値で除算した商（最大入力電流）を算出するとともに、「皮相入力電力」欄９０８に表示された皮相入力電力の数値を、欄９１８の最小入力電圧の数値で除算した商（最小入力電流）を算出する。
【００８８】
当該入力電流範囲の計算処理の結果は、最大入力電流が「最大入力電流」欄９１２（単位：Ａ）に表示されるとともに、最小入力電流が「最小入力電流」欄９１４（単位：Ａ）に表示される。
【００８９】
図９に示す状態は、ＡＣ入力エリア７０２ａの「入力電圧」欄７０４において「ワールドワイド１」が選択され、当該「ワールドワイド１」の入力電圧の範囲（図７における「コメント」欄７１２参照）である最大入力電圧「ＡＣ８５Ｖ」が欄９１６に表示され、最小入力電圧「ＡＣ２６４Ｖ」が欄９１８に表示される。
【００９０】
従って、最大入力電流１．２２６（Ａ）（＝１０４．２（ＶＡ）／８５（Ｖ））が「最大入力電流」欄９１２に表示されるとともに、最小入力電流０．３９５（Ａ）（＝１０４．２（ＶＡ）／２６４（Ｖ））が「最小入力電流」欄９１４に表示されているものである。
【００９１】
そして、ステップＳ１２８の処理に続いて、ステップＳ１３０の処理においては、図９に示す入力仕様エリア９０２の「コメント」欄９２０に、上記した「効率」欄９０４ならびに「力率」欄９０６における選択内容に応じて、即ち、選択指定情報に応じた各種の補足説明等のコメントが自動的に表示される。
【００９２】
なお、図９に示す状態は、「効率」欄９０４に設定された「８０．０」に応じたコメントが、即ち、「入力実効電力」欄９０８に表示された入力電力「６２．５（Ｗ）」に応じたコメント「入力実効電力＜７５Ｗであり高調波電流対策は必要ありません」が「コメント」欄９２０に表示されているものである。
【００９３】
ここで、この実施の形態においては、上記した入力実効電力の計算処理（ステップＳ１２４）によって入力実効電力が算出されると、当該算出された入力実効電力に基づいて自動的に高調波電流対策の有無の判定処理が行われ、当該判定処理の結果が「コメント」欄９２０に表示されるようになされている。
【００９４】
より詳細には、算出された入力実効電力が７５Ｗ以上の場合には、高調波電流対策の必要有りを示すコメントが「コメント」欄９２０に表示され、算出された入力実効電力が７５Ｗより小さいの場合には、図９に示すように高調波電流対策の必要無しを示すコメントが「コメント」欄９２０に表示される。
【００９５】
従って、「８０．０」（即ち、効率８０．０％）が効率選択入力１２２ａによる選択指定情報となり、「６０．０」（即ち、力率６０．０％）が力率入力１２２ｂによる選択指定情報となり、また、「入力実行電力」欄９０８の「６２．５（Ｗ）」、「皮相入力電力」欄９１０の「１０４．２（ＶＡ）」、「最大入力電流」欄９１２の「１．２２６（Ａ）」、「最小入力電流」欄９１４の「０．３９５（Ａ）」ならびにコメント欄９２０の「高調波電流対応無し」が選択指定情報となる。
【００９６】
ここで、作業者が上記した図９に示す入力仕様エリア９０２の各欄の入力を間違えた場合には、「キャンセル」欄９２２を選択すると、各欄の入力を最初から行うことができる。
【００９７】
そして、作業者により上記した図９に示す入力仕様エリア９０２の各欄に所望の入力が終了したならば、「完了」欄９２４を選択する。
【００９８】
そうすると、ステップＳ１３２の処理において、上記したステップＳ１２２の処理における「入力仕様」の設定の内容が、回路設計を行うスイッチング電源の目的の仕様であるか否かが判断され、回路設計を行うスイッチング電源の目的の仕様であると判断された場合には、ステップＳ１３４の処理に進むとともに、上記したステップＳ１２２の処理における「入力仕様」の設定における各選択指定情報が内部記憶装置１４の所定のエリアに記憶される。
【００９９】
一方、ステップＳ１３２の判断処理において、ステップＳ１２２の処理における「入力仕様」の設定の内容が、回路設計を行うスイッチング電源の目的の仕様ではないと判断された場合には、ステップＳ１２２の処理に戻り、再び効率選択入力１２２ａ、力率入力１２２ｂを行う。
【０１００】
（１−５）仕様書データ・ベース３０の作成（ステップＳ１３４）
ステップＳ１３４の処理においては、上記した（１−１）ＡＣ入力仕様の設定（図７参照）、（１−２）ＤＣ入力仕様の設定（図７参照）、（１−３）ＤＣ出力仕様の設定（図８参照）ならびに（１−４）入力仕様の設定（図９参照）の設定処理の内容、即ち、内部記憶装置１４の所定のエリアに記憶されている各選択指定情報が、最終選択指定情報として自動的に図１０に示す仕様確認エリア１００２の「仕様表示」欄１００４に表示される。
【０１０１】
従って、作業者は「仕様表示」欄１００４に表示された内容を参照することにより、上記した各設定処理の内容を確認でき、スイッチング電源を設計する際に必須の電気的仕様を最終的に確認することができる。
【０１０２】
そして、作業者がポインティング・デバイス１６や文字入力デバイス１８を用いて、「ファイル名」欄１００６に所望のファイル名を設定（図３ファイル名入力１３４ａ）した後、「保存」欄１００８を選択すると、「仕様表示」欄１００４に表示された内容（最終選択指定情報）が「ファイル名」欄１００６に設定されたファイル名で内部記憶装置１４の所定のエリアに記憶されて保存され、仕様書データ・ベース３０が自動的に作成される。
【０１０３】
例えば、図１０に示す状態は、上記した図７乃至図９の設定内容に応じた最終選択指定情報「ワールドワイド１−入力電圧ＡＣ８５Ｖ〜２６４Ｖ連続、ＵＬ，ＩＥＣ、ＣＩＳＰＲ−Ｂ、高調波電流対応無し、力率６０．０（％）、効率８０．０（％）、入力電力６２．５（Ｗ），１０４．２（ＶＡ）、入力電流１．２２６〜０．３９５（Ａ）、出力電力５０Ｗ、単出力、定格出力電圧５Ｖ 、定格出力電流１０Ａ、最低出力電流０Ａ、ピーク出力電流１５Ｖ、ピーク出力電力７５Ｗ（なお、当該ピーク出力電力の値は、定格出力電圧の値（５Ｖ）とピーク出力電流の値（１５Ｖ）とを乗算して自動的に算出されるようになされている。）」が「仕様表示」欄１００４に表示されているものである。
【０１０４】
そして、当該最終選択指定情報は、「ファイル名」欄１００６に設定されたファイル名「Ｐｏｗｅｒｓ」の仕様書データ・ベース３０となる。
【０１０５】
ここで、作業者が上記した図１０に示す仕様確認エリア１００２の「ファイル名」欄１００６の入力を間違えた場合には、「キャンセル」欄１０１２を選択すると、「ファイル名」欄１００６の入力を最初から行うことができる。
【０１０６】
また、仕様書データ・ベース３０の作成が終了したならば、「完了」欄１０１４を選択すると、当該仕様確認エリア１００２における処理を終了することができ、「読み込み」欄１０１０を選択すると、「ファイル名」欄１００６に設定されたファイル名の仕様書データ・ベース３０を内部記憶装置１４の所定のエリアから読み込むことができる。
【０１０７】
（１−６）製品仕様書４０の作成（ステップＳ１３６）
ステップＳ１３６の処理においては、ステップＳ１３４の処理において生成された仕様書データ・ベース３０から作成される製品仕様書４０のフォーマットを、表示装置２０の画面に表示される複数種類のフォーマットの中から、作業者がポインティング・デバイス１６や文字入力デバイス１８を用いて選択する。
【０１０８】
そうすると、当該選択されたフォーマットに所定のファイル名で生成された仕様書データ・ベース３０が自動的に変換され、印刷装置２４によって印刷されて製品仕様書４０が作成される。
【０１０９】
例えば、図１０に示すファイル名「Ｐｏｗｅｒｓ」の仕様書データ・ベース３０を選択して、ステップＳ１３６の処理を行うと、「仕様表示」欄１００４に表示されている最終選択指定情報が選択された所定のフォーマットの製品仕様書４０として書類化される。
【０１１０】
なお、このステップＳ１３６の処理における製品仕様書４０の作成処理は、仕様書データ・ベース３０が生成された後であれば行うことができるので、ステップＳ１３４の処理のすぐ後に行うことに限られることなしに、例えば、後述するステップＳ２３２の処理の後に行ってもよい。
【０１１１】
（２）回路合成処理
この回路合成処理においては（図４乃至図６参照）、作業者が表示装置２０の画面（図１１乃至図１５参照）を参照しながらポインティング・デバイス１６や文字入力デバイス１８を操作することにより、上記した仕様書データ・ベース作成処理によって作成された仕様書データ・ベース３０に基づいて、スイッチング電源の回路の設計がなされるものである。
【０１１２】
ここで、当該回路合成処理において用いられる機能ブロック回路データ・ベース５０について説明すると、当該機能ブロック回路データ・ベース５０は、予め作成されて外部記憶装置２２に記憶され、当該回路合成処理に際しては、一時的に内部記憶装置１４に読み込まれて使用されるようになされている。
【０１１３】
そして、この機能ブロック回路データ・ベース５０は、所定の機能を有する機能ブロック回路を示す機能ブロック回路データにより構成されるものである。
【０１１４】
当該機能ブロック回路データは、当該機能ブロック回路データが示す機能ブロック回路が、電源回路を電気的な特徴に合わせて分類した機能ブロック（図１６参照）のいずれに属するかに応じて、機能ブロック５０−１、５０−２、・・・５０−ｎ（ただし、「ｎ」は正の整数。）毎に機能ブロック回路データ・ベース５０に記憶されている。
【０１１５】
このようにして機能ブロック回路データ・ベース５０を構成する機能ブロック回路データそれぞれが示す所定の機能を有する機能ブロック回路はそれぞれ、一般的な回路方式を利用した過去の回路資産であり、仕様書データ・ベース３０が示すスイッチング電源を設計する際に必須の電気的仕様の数値それぞれと予めひもづけされて対応付けられているものである。
【０１１６】
つまり、当該機能ブロック回路はそれぞれ、仕様書データ・ベース３０を構成する最終選択指定情報（図１０の「仕様表示」欄１００４の表示参照）それぞれと対応して用意されているものである。
【０１１７】
従って、機能ブロック回路データ・ベース５０を用いることにより、仕様書データ・ベース３０が示す電気的仕様の数値にひもづけされた状態で、所定の機能を有する機能ブロック回路が複数予め用意されるので、所定の仕様書データ・ベース３０を読み込むと、当該仕様書データ・ベース３０の電気的仕様の数値に予めひもづけされた所定の機能を有する機能ブロック回路が提示されることになる。
【０１１８】
そして、作業者により当該提示された機能ブロック回路の中から適当な回路を選択する作業を、機能ブロック（図１６参照）毎に、即ち、後述する「入力回路の合成」、「コンバータ回路の合成」、「制御回路の合成」ならびに「出力回路の合成」において行い、当該「入力回路の合成」、「コンバータ回路の合成」、「制御回路の合成」ならびに「出力回路の合成」において選択された複数の機能ブロック回路がＣＰＵ１０により処理されて合成され、スイッチング電源の回路の設計がなされる。
【０１１９】
さらに、この回路合成処理においては、作成されたスイッチング電源の回路に部品番号を自動的に割り付ける処理や、電気的属性を自動的に割り付ける処理が行われる。
【０１２０】
（２−１）仕様書データ・ベース３０の読み込み（ステップＳ２０４乃至ステップＳ２０８）
まず、この回路合成処理においては、作業者がポインティング・デバイス１６や文字入力デバイス１８を用いて、図１１に示す「仕様作成」画面の仕様読み込みエリア１１０２において、「ファイル名」欄１１０４に所望のファイル名を設定する。
【０１２１】
こうして「ファイル名」欄１１０４に所望のファイル名が設定されると仕様ファイル名入力２０２ａが行われ、当該仕様ファイル名入力２０２ａの後に、「読み込み」欄１１０６を選択すると、「ファイル名」欄１１０４に設定されたファイル名の仕様書データ・ベース３０を内部記憶装置１４の所定のエリアから読み込むことができる。
【０１２２】
そして、読み込まれた「ファイル名」欄１１０４に設定されたファイル名の仕様書データ・ベース３０の内容は、「コメント」欄１１０８に表示される（ステップＳ２０４）。
【０１２３】
例えば、図１１に示す状態は、上記した図７乃至図１０に対応するものであり、「ファイル名」欄１１０４に「Ｐｏｗｅｒｓ」が設定されて、当該ファイル名「Ｐｏｗｅｒｓ」の仕様書データ・ベース３０の電気的仕様がＴＸＴ形式で「ワールドワイド１−入力電圧ＡＣ８５Ｖ〜２６４Ｖ連続、ＵＬ，ＩＥＣ、ＣＩＳＰＲ−Ｂ、高調波電流対応無し、力率６０．０（％）、効率８０．０（％）、入力電力６２．５（Ｗ），１０４．２（ＶＡ）、入力電流１．２２６〜０．３９５（Ａ）、出力電力５０Ｗ、単出力、定格出力電圧５Ｖ 、定格出力電流１０Ａ）」が「コメント」欄１１０８に表示されているものである。
【０１２４】
ステップＳ２０４の処理に続いて、ステップＳ２０６の処理においては、上記したステップＳ２０４の処理における電気的仕様（「コメント」欄１１０８）の表示の内容が、回路設計を行うスイッチング電源の目的の仕様であるか否かが判断され、回路設計を行うスイッチング電源の目的の仕様であると判断された場合には、ステップＳ２０８の処理に進む。
【０１２５】
即ち、後述する「入力回路の合成」、「コンバータ回路側の合成」、「制御回路の合成」ならびに「出力回路の合成」における選択条件が、上記したステップＳ２０４の処理における電気的仕様（「コメント」欄１１０８）の表示の内容で確定されることになる。
【０１２６】
一方、ステップＳ２０６の判断処理において、ステップＳ２０４の処理における電気的仕様（「コメント」欄１１０８）の表示の内容が、回路設計を行うスイッチング電源の目的の仕様ではないと判断された場合には、再び仕様ファイル名入力２０２ａを行い、回路設計を行うスイッチング電源の電気的仕様が表示されるようにする。
【０１２７】
ステップＳ２０８の処理においては、ステップＳ２０４の処理において「コメント」欄１１０８に表示された電気的仕様を示す仕様書データ・ベース３０に基づいて、この回路合成処理によって作成されるスイッチング電源の回路を示す回路設計データ６０の所望のファイル名を、「回路ファイル」欄１１１０に設定する。
【０１２８】
こうして「ファイル名」欄１１１０に所望のファイル名が設定されると回路ファイル名入力２０８ａが行われ、「回路ファイル名」欄１１１０に設定されたファイル名で回路設計データ６０が内部記憶装置１４の所定のエリアに記憶可能な状態になる。
【０１２９】
換言すれば、機能ブロック回路データ・ベース５０を構成する機能ブロック回路データを読み込み、当該読み込まれた機能ブロック回路データが当該回路設計データ６０として内部記憶装置１４の所定のエリアに記憶可能な状態になる。
【０１３０】
例えば、図１１に示す状態は、「回路ファイル」欄１１１０に回路設計データ６０の所望のファイル名として、「ＰＳ００１．ｃｉｒ」が設定されているものである。
【０１３１】
なお、作業者が上記した図１１に示す仕様読み込みエリア１１０２の各欄の入力を間違えた場合には、「キャンセル」欄１１１２を選択すると、各欄の入力を最初から行うことができる。
【０１３２】
そして、作業者により上記した図１１に示す仕様読み込みエリア１１０２の各欄に所望の入力が終了したならば、「完了」欄１１１４を選択する。
【０１３３】
また、図１１に示す仕様読み込みエリア１１０２や、後述する入力回路エリア１２０２（図１２参照）、コンバータ１次回路エリア１３０２ａ（図１３参照）、コンバータ２次回路エリア１３０２ｂ（図１３参照）、出力回路エリア１４０２（図１４参照）、接続確認エリア１５０２（図１５参照）はいずれも、「仕様作成」画面において所定の順位を有するエリアである。
【０１３４】
従って、上記したＡＣ入力エリア７０２ａ（図７参照）、ＤＣ入力エリア７０２ｂ（図７参照）、出力仕様エリア８０２（図８参照）、入力仕様エリア９０２（図９参照）、仕様確認エリア１００２（図１０参照）と同様に、「戻る＜」欄１１００，１２００，１３００，１４００，１５００を選択すると、当該エリアより前のエリアに切り換わることができ、「次へ＞」欄１１０１，１２０１，１３０１，１４０１，１５０１を選択すると、当該エリアより後ろのエリアに切り換わることができる。
【０１３５】
（２−２）入力回路の合成（ステップＳ２１０）
ステップＳ２０８の処理を終了して、「コメント」欄１１０８（図１１参照）の表示の内容で電気的仕様が確定されると、作業者により提示された機能ブロック回路の中から適当な機能ブロック回路を選択する作業が、ステップＳ２１０乃至ステップＳ２２４の処理において機能ブロック毎に繰り返される。
【０１３６】
ステップＳ２１０の処理においては、図１２に示す入力回路エリア１２０２を参照しながら、作業者がポインティング・デバイス１６や文字入力デバイス１８を用いて入力系回路の各種機能ブロック毎に機能ブロック回路の選択作業を行い、入力系回路の各種機能ブロック毎に電気的仕様を回路化する処理が行われる。
【０１３７】
より詳細には、まず、入力回路エリア１２０２の「回路ブロック分類」欄１２０４に、仕様書データ・ベース３０の読み込みを行って確定された電気的仕様に対応して、入力系回路として必須の機能ブロックの種類が表示される。
【０１３８】
そして、当該「回路ブロック分類」欄１２０４に表示された機能ブロックのいずれかを選択すると、当該選択された機能ブロックについて電気的仕様の数値にひもづけされた機能ブロック回路の回路図が「回路図表示」欄１２０６に表示される。
【０１３９】
この際、「回路図表示」欄１２０６においては、確定された電気的仕様に対応する仕様該当回路と、確定された電気的仕様に対応しない仕様対象外回路とが、自動的に判定され区別されて表示されるようになされている。
【０１４０】
従って、作業者は、「回路図表示」欄１２０６に確定された電気的仕様に対応する仕様該当回路として表示された機能ブロック回路の中から、適当な機能ブロック回路を選択することになる。
【０１４１】
そして、「回路図表示」欄１２０６における選択内容に応じて、当該選択された機能ブロック回路の構成部品情報等のコメントが、「コメント」欄１２０８に自動的に表示される。
【０１４２】
なお、作業者が入力回路エリア１２０２の各欄の入力を間違えた場合には、「キャンセル」欄１２１０を選択すると、各欄の入力を最初から行うことができる。
【０１４３】
そして、作業者により入力回路エリア１２０２の各欄に所望の入力が終了したならば、「完了」欄１２１２を選択する。
【０１４４】
例えば、図１２に示す状態は、入力回路エリア１２０２の「回路ブロック分類」欄１２０４において、「コメント」欄１１０８（図１１参照）に表示された内容で確定された電気的仕様に対応する必須の入力系回路の機能ブロックの種類として、「フェーズ回路」、「フィルタ回路」、「整流回路」、「ＥＭＳ保護」、「突入電流防止」、「高調波電流」ならびに「整流コンデンサ」が表示されているものである。
【０１４５】
そして、当該「回路ブロック分類」欄１２０４において「ファイルタ回路」が選択されて、当該「フィルタ回路」に対応する機能ブロック５０−ｎに記憶されている機能ブロック回路データが読み込まれる（図４参照）。
【０１４６】
当該読み込まれた機能ブロック回路データの示す機能ブロック回路が４つ、回路名とともに回路図２０１，２０２，２０３，２０４で「回路図表示」欄１２０６に表示されている。
【０１４７】
この際、「回路図表示」欄１２０６に表示された機能ブロック回路のうち、回路図２０２を示す機能ブロック回路と回路図２０３を示す機能ブロック回路とが仕様該当回路であり、回路図２０１を示す機能ブロック回路と回路図２０４を示す機能ブロック回路とは仕様対象外回路なのでグレイダウンされている。
【０１４８】
そして、作業者によって「回路図表示」欄１２０６に表示された仕様該当回路の回路図２０２と回路図２０３のうちの回路図２０２が選択されて、当該選択された回路図２０２の機能ブロック回路に応じたコメント「コモンモードチョーク、Ｘコン２ヶ、Ｙコンあり」が「コメント」欄１２０８に表示されている。
【０１４９】
こうして「回路ブロック分類」欄１２０４において「フィルタ回路」が選択され、当該選択された「フィルタ回路」について電気的仕様の数値にひもづけされた機能ブロック回路の回路図が「回路図表示」欄１２０６に表示されて選択作業が行われると、回路図２０２の機能ブロック回路がフィルタ回路選択２１０ｃにより選択指定される。
【０１５０】
そして、「回路ブロック分類」欄１２０４に表示されている「フィルタ回路」以外の入力系回路の機能ブロックもそれぞれ選択し、上記したようにして「回路図表示」欄１２０６に提示された機能ブロック回路の中から適当な回路を選択する作業を行う。
【０１５１】
その結果、フェーズ回路選択２１０ａ、整流回路選択２１０ｂ、ＥＭＳ保護回路選択２１０ｄ、突入電流防止回路選択２１０ｅ、高調波電流回路選択２１０ｆならびに整流コンデンサ回路選択２１０ｇそれぞれにより１つずつ機能ブロック回路が選択指定され、入力系回路の各種機能ブロック毎に電気的仕様を回路化する処理が完了する。
【０１５２】
（２−３）コンバータ回路の合成（ステップＳ２１２乃至ステップＳ２１６）
ステップＳ２１０の処理に続いて、ステップＳ２１２の処理においては、図１３に示すコンバータ１次回路エリア１３０２ａやコンバータ２次回路エリア１３０２ｂを参照しながら、作業者がポインティング・デバイス１６や文字入力デバイス１８を用いてメインコンバータ回路の各種機能ブロック毎に機能ブロック回路の選択作業を行い、メインコンバータ回路の各種機能ブロック毎に電気的仕様を自動的に回路化する処理が行われる。
【０１５３】
より詳細には、まず、ステップＳ２１４の処理においてコンバータ１次回路エリア１３０２ａを選択し、当該コンバータ１次回路エリア１３０２ａの「回路ブロック分類」欄１３０４に、仕様書データ・ベース３０の読み込みを行って確定された電気的仕様に対応して、メインコンバータ回路のコンバータ１次回路として必須の機能ブロックの種類が表示される。
【０１５４】
そして、当該「回路ブロック分類」欄１３０４に表示された機能ブロックのいずれかを選択すると、当該選択された機能ブロックについて電気的仕様の数値にひもづけされた機能ブロック回路の回路図が「回路図表示」欄１３０６に表示される。
【０１５５】
この際、「回路図表示」欄１３０６においては、確定された電気的仕様に対応する仕様該当回路と、確定された電気的仕様に対応しない仕様対象外回路とが、自動的に判定され区別されて表示されるようになされている。
【０１５６】
従って、作業者は、「回路図表示」欄１３０６に確定された電気的仕様に対応する仕様該当回路として表示された機能ブロック回路の中から、適当な機能ブロック回路を選択することになる。
【０１５７】
そして、「回路図表示」欄１３０６における選択内容に応じて、当該選択された機能ブロック回路の構成部品情報等のコメントが、「コメント」欄１３０８に自動的に表示される。
【０１５８】
なお、作業者が入力回路エリア１３０２の各欄の入力を間違えた場合には、「キャンセル」欄１３１０を選択すると、各欄の入力を最初から行うことができる。
【０１５９】
そして、作業者により入力回路エリア１３０２の各欄に所望の入力が終了したならば、「完了」欄１３１２を選択する。
【０１６０】
例えば、図１３に示す状態は、コンバータ１次回路エリア１３０２ａの「回路ブロック分類」欄１３０４において、「コメント」欄１１０８（図１１参照）に表示された内容で確定された電気的仕様に対応する必須のメインコンバータ回路の機能ブロックの種類として、「自励発振ＲＣＣ」、「他励ＯＮ／ＯＦＦ」、「フォワード」、「共振」ならびに「ワンコンバータ」が表示されているものである。
【０１６１】
そして、当該「回路ブロック分類」欄１３０４において「他励ＯＮ／ＯＦＦ」が選択されて、当該「他励ＯＮ／ＯＦＦ」に対応する機能ブロック５０−ｎに記憶されている機能ブロック回路データが読み込まれる（図５参照）。
【０１６２】
当該読み込まれた機能ブロック回路データの示す機能ブロック回路が３つ、回路名とともに回路図３０１，３０２，３０３で「回路図表示」欄１３０６に表示されている。
【０１６３】
この際、「回路図表示」欄１３０６に表示された機能ブロック回路のうち、回路図３０１を示す機能ブロック回路と回路図３０３を示す機能ブロック回路とが仕様該当回路であり、回路図３０２を示す機能ブロック回路は仕様対象外回路なのでグレイダウンされている。
【０１６４】
そして、作業者によって「回路図表示」欄１３０６に表示された仕様該当回路の回路図３０１と回路図３０３のうちの回路図３０１が選択されて、当該選択された回路図３０１の機能ブロック回路に応じたコメント「ＩＣ：Ｍ５１９７７使用、８０Ｗ級回路、トランスＥＥ２８」が「コメント」欄１３０８に表示されている。
【０１６５】
こうして「回路ブロック分類」欄１３０４において「他励ＯＮ／ＯＦＦ」が選択され、当該選択された「他励ＯＮ／ＯＦＦ」について電気的仕様の数値にひもづけされた機能ブロック回路の回路図が「回路図表示」欄１３０６に表示されて選択作業が行われると、回路図３０１の機能ブロック回路が他励ＯＮ／ＯＦＦ路選択２１４ｄにより選択指定される。
【０１６６】
そして、「回路ブロック分類」欄１３０４に表示されている「他励ＯＮ／ＯＦＦ」以外のメインコンバータ回路の機能ブロックもそれぞれ選択し、上記したようにして「回路図表示」欄１３０６に提示された機能ブロック回路の中から適当な回路を選択する作業を行う。
【０１６７】
その結果、自励発振（ＲＣＣ）回路選択２１４ａ、フォワード回路選択２１４ｂ、共振回路選択２１４ｃならびにワンコンバータ回路選択２１４ｅそれぞれにより１つずつ機能ブロック回路が選択指定され、メインコンバータ回路のコンバータ１次回路の各種機能ブロック毎に電気的仕様を回路化する処理が完了する。
【０１６８】
一方、ステップＳ２１６の処理においては、コンバータ２次回路エリア１３０２ｂを選択する。当該コンバータ２次回路エリア１３０２ｂは、コンバータ１次回路エリア１３０２ａと共通の構造を有しているので、上記した説明を援用することとする。
【０１６９】
そして、「回路ブロック分類」欄（図示せず）に表示されている「自励発振ＲＣＣ」、「他励ＯＮ／ＯＦＦ」、「フォワード」、「共振」ならびに「ワンコンバータ」をそれぞれ選択し、上記したようにして「回路図表示」欄（図示せず）に提示された機能ブロック回路の中から適当な回路を選択する作業を行う。
【０１７０】
その結果、自励発振（ＲＣＣ）回路選択２１６ａ、フォワード回路選択２１６ｂ、共振回路選択２１６ｃ、他励ＯＮ／ＯＦＦ２１６ｄならびにワンコンバータ回路選択２１６ｅそれぞれにより１つずつ機能ブロック回路が選択指定され、メインコンバータ回路のコンバータ２次回路の各種機能ブロック毎に電気的仕様を回路化する処理が完了する。
【０１７１】
（２−４）制御回路の合成（ステップＳ２１８乃至ステップＳ２２２）
ステップＳ２１６の処理に続いて、ステップＳ２１８の処理においては、コンバータ１次制御回路エリア（図示せず）やコンバータ２次制御エリア（図示せず）を参照しながら、作業者がポインティング・デバイス１６や文字入力デバイス１８を用いてメインコンバータ制御回路の各種機能ブロック毎に機能ブロック回路の選択作業を行い、メインコンバータ制御回路の各種機能ブロック毎に電気的仕様を回路化する処理が行われる。
【０１７２】
より詳細には、まず、ステップＳ２２０の処理においてコンバータ１次制御回路エリア（図示せず）を選択する。当該コンバータ１次制御回路エリアは、コンバータ１次回路エリア１３０２ａ（図１３参照）と共通の構造を有しているので、上記した説明を援用することとする。
【０１７３】
そして、「回路ブロック分類」欄（図示せず）に表示されている「自励発振ＲＣＣ制御」ならびに「フォワード制御」をそれぞれ選択し、上記したようにして「回路図表示」欄（図示せず）に提示された機能ブロック回路の中から適当な回路を選択する作業を行う。
【０１７４】
その結果、フォワード制御回路選択２２０ａならびに自励発振（ＲＣＣ）制御回路選択２２０ｂそれぞれにより１つずつ機能ブロック回路が選択指定され、メインコンバータ制御回路のコンバータ１次制御回路の各種機能ブロック毎に電気的仕様を回路化する処理が完了する。
【０１７５】
ステップＳ２２０の処理を終了すると、ステップＳ２２２の処理に進んでコンバータ２次制御回路エリア（図示せず）を選択する。当該コンバータ２次制御回路エリアは、コンバータ１次回路エリア１３０２ａ（図１３参照）と共通の構造を有しているので、上記した説明を援用することとする。
【０１７６】
そして、「回路ブロック分類」欄（図示せず）に表示されている「帰還制御１次回路」をそれぞれ選択し、上記したようにして「回路図表示」欄（図示せず）に提示された機能ブロック回路の中から適当な回路を選択する作業を行う。
【０１７７】
その結果、帰還制御１次回路選択２２２ａにより１つの機能ブロック回路が選択指定され、メインコンバータ制御回路のコンバータ２次制御回路の各種機能ブロック毎に電気的仕様を回路化する処理が完了する。
【０１７８】
（２−５）出力回路の合成（ステップＳ２２４）
ステップＳ２２４の処理においては、図１４に示す出力回路エリア１４０２を参照しながら、作業者がポインティング・デバイス１６や文字入力デバイス１８を用いて出力系回路の各種機能ブロック毎に機能ブロック回路の選択作業を行い、出力系回路の各種機能ブロック毎に電気的仕様を回路化する処理が行われる。
【０１７９】
より詳細には、まず、出力回路エリア１４０２の「回路ブロック分類」欄１４０４に、仕様書データ・ベース３０の読み込みを行って確定された電気的仕様に対応して、出力系回路として必須の機能ブロックの種類が表示される。
【０１８０】
そして、当該「回路ブロック分類」欄１４０４に表示された機能ブロックのいずれかを選択すると、当該選択された機能ブロックについて電気的仕様の数値にひもづけされた機能ブロック回路の回路図が「回路図表示」欄１４０６に表示される。
【０１８１】
この際、「回路図表示」欄１４０６においては、確定された電気的仕様に対応する仕様該当回路と、確定された電気的仕様に対応しない仕様対象外回路とが、自動的に判定され区別されて表示されるようになされている。
【０１８２】
従って、作業者は、「回路図表示」欄１４０６に確定された電気的仕様に対応する仕様該当回路として表示された機能ブロック回路の中から、適当な機能ブロック回路を選択することになる。
【０１８３】
そして、「回路図表示」欄１４０６における選択内容に応じて、当該選択された機能ブロック回路の構成部品情報等のコメントが、「コメント」欄１４０８に自動的に表示される。
【０１８４】
なお、作業者が出力回路エリア１４０２の各欄の入力を間違えた場合には、「キャンセル」欄１４１０を選択すると、各欄の入力を最初から行うことができる。
【０１８５】
そして、作業者により入力回路エリア１４０２の各欄に所望の入力が終了したならば、「完了」欄１４１２を選択する。
【０１８６】
例えば、図１４に示す状態は、出力回路エリア１４０２の「回路ブロック分類」欄１４０４において、「コメント」欄１１０８（図１１参照）に表示された内容で確定された電気的仕様に対応する必須の入力系回路の機能ブロックの種類として、「平滑回路」ならびに「フィルタ回路」が表示されているものである。
【０１８７】
そして、当該「回路ブロック分類」欄１４０４において「ファイルタ回路」が選択されて、当該「フィルタ回路」に対応する機能ブロック５０−ｎに記憶されている機能ブロック回路データが読み込まれる（図６参照）。
【０１８８】
当該読み込まれた機能ブロック回路データの示す機能ブロック回路が１つ、回路名とともに回路図４０１で「回路図表示」欄１４０６に表示されている。
【０１８９】
この際、「回路図表示」欄１４０６に表示された機能ブロック回路のうち、回路図４０１のみが仕様該当回路であり、作業者によって当該回路図４０１が選択されて、当該選択された回路図４０１の機能ブロック回路に応じたコメント「Ｘコンデンサ１ヶ、Ｙコンデンサ２ヶ」が「コメント」欄１４０８に表示されている。
【０１９０】
こうして「回路ブロック分類」欄１４０４において「フィルタ回路」が選択され、当該選択された「フィルタ回路」について電気的仕様の数値にひもづけされた機能ブロック回路の回路図が「回路図表示」欄１４０６に表示されて選択作業が行われると、回路図４０１の機能ブロック回路が出力フィルタ回路選択２２４ｂにより選択指定される。
【０１９１】
そして、「回路ブロック分類」欄１４０４に表示されている「フィルタ回路」以外の「平滑回路」も選択し、上記したようにして「回路図表示」欄１２０６に提示された機能ブロック回路の中から適当な回路を選択する作業を行う。
【０１９２】
その結果、出力平滑回路選択２２４ａにより１つの機能ブロック回路が選択指定され、出力系回路の各種機能ブロック毎に電気的仕様を回路化する処理が完了する。
【０１９３】
（２−６）回路設計データ６０の作成（ステップＳ２２６乃至ステップＳ２３２）
ステップＳ２２４の処理に続いて、ステップＳ２２６の処理においては、上記したステップＳ２１０乃至ステップＳ２２４の処理において機能ブロック毎に選択指定された機能ブロック回路が、回路設計を行うスイッチング電源の目的の回路であるか否かが判断され、回路設計を行うスイッチング電源の目的の回路であると判断された場合には、ステップＳ２２８の処理に進む。
【０１９４】
この際、回路設計を行うスイッチング電源の目的の回路であると判断された機能ブロック回路は、自動的に図１５に示す接続確認エリア１５０２の「コメント」欄１５０４に表示され、当該「コメント」欄１５０４に表示された内容を参照することにより、作業者は回路設計を行うスイッチング電源の目的の回路であると判断された機能ブロック回路を最終的に確認することができる。
【０１９５】
一方、ステップＳ２２６に判断処理において、上記したステップＳ２１０乃至ステップＳ２２４の処理において機能ブロック毎に選択指定された機能ブロック回路が、回路設計を行うスイッチング電源の目的の回路ではないと判断された場合には、ステップＳ２１０、ステップＳ２１２、ステップＳ２１８ならびにステップＳ２２４の処理に戻り、再び機能ブロック毎に機能ブロック回路の選択を行う。
【０１９６】
そして、ステップＳ２２６の処理を終了すると、作業者がポインティング・デバイス１６や文字入力デバイス１８を用い、「リファレンス自動割り当て」欄１５０６においては、部品番号（リファレンス）の自動割付を希望する場合にのみ、当該「リファレンス自動割り当て」欄１５０６を選択する。
【０１９７】
また、「属性自動割り当て」欄１５０８においては、電気的属性の自動割付を希望する場合にのみ、当該「属性自動割り当て」欄１５０８を選択する。
【０１９８】
そして、「リファレンス自動割り当て」欄１５０６と「属性自動割り当て」欄１５０８とに所望の設定を行った後に、回路設計を行うスイッチング電源の目的の回路であると判断された機能ブロック回路が「コメント」欄１５０４に表示された状態で、「回路合成実効」欄１５１０を選択する。
【０１９９】
そうすると、回路設計を行うスイッチング電源の目的の回路であると判断され「コメント」欄１５０４に表示されていた複数の機能ブロック回路が結合されて合成され、スイッチング電源の回路の設計がなされる。
【０２００】
この際、「リファレンス自動割り当て」欄１５０６が選択されていた場合には、ステップＳ２２８の処理において、作成されたスイッチング電源の回路に部品番号を自動的に割り付ける処理が行われる。
【０２０１】
なお、当該スイッチング電源の回路に部品番号を自動的に割り付ける処理には、公知の技術を用いることができ、詳細な説明は省略することとする。
【０２０２】
また、「属性自動割り当て」欄１５０８が選択されていた場合には、ステップＳ２３０の処理において、作成されたスイッチング電源の回路に電気的属性を自動的に割り付ける処理が行われる。
【０２０３】
なお、当該スイッチング電源の回路に電気的属性を自動的に割り付ける処理には、公知の技術を用いることができ、詳細な説明は省略することとする。
【０２０４】
また、作業者が接続確認エリア１５０２の各欄の入力を間違えた場合には、「キャンセル」欄１５１２を選択すると、各欄の入力を最初から行うことができる。
【０２０５】
そして、作業者により接続確認エリア１５０２の各欄に所望の入力が終了したならば、「完了」欄１５１４を選択する。
【０２０６】
そして、複数の機能ブロック回路が結合され合成されて生成されたスイッチング電源の回路を示す回路設計データ６０が、ステップＳ２０８の処理において設定されたファイル名で内部記憶装置１４の所定のエリアに記憶されて（ステップＳ２３２）、当該回路合成処理は終了する。
【０２０７】
なお、ステップＳ２２８、ステップＳ２３０ならびにステップＳ２３２における処理に対応するコメントが、「コメント」欄１５０４に自動的に表示される（図６の装置計算状態のコメント表示２３４ａ参照）。
【０２０８】
例えば、図１５に示す状態は、「リファレンス自動割り当て」欄１５０６が選択されるとともに、「属性自動割り当て」欄１５０８が選択されて、「回路合成実効」欄１５１０を選択された結果、「正しく回路、ネットが接続されました。自動的にリファレンス番号を割り当てました。自動的に属性を割り当てました。＊＊属性は確認してください。完成した回路図はＰＳ００１．ｃｉｒ（図１１参照）に保存します。」が「コメント」欄１５０４に表示されているものである。
【０２０９】
また、図１７には、回路設計処理において作成された回路設計データ６０の示すスイッチング電源の回路図の一例を示す説明図が示されており、当該スイッチング電源の回路図は、上記した図７乃至図１５の設定内容に応じたものである。
【０２１０】
以上において説明したように、本発明による電源設計のための計算装置においては、まず、仕様書データ・ベース作成処理において（図２乃至図３参照）、作業者が表示装置２０の画面（図７乃至図１０参照）を参照しながら、ガイダンスに従って選択入力作業を行うと、スイッチング電源を設計する際に必須の電気的仕様を示す仕様書データ・ベース３０が作成される。
【０２１１】
そして、当該仕様書データ・ベース作成処理において作成された仕様書データ・ベース３０と、当該仕様書データ・ベース３０が示すスイッチング電源を設計する際に必須の電気的仕様の数値それぞれと予めひもづけされて対応付けられている機能ブロック回路を示す機能ブロック回路データからなる機能ブロック回路データ・ベース５０とを用いることにより、回路合成処理（図４乃至図６参照）において機能ブロック毎に機能ブロック回路の選択作業を行うと（図１１乃至図１５参照）、選択された機能ブロック回路が自動的に合成されてスイッチング電源の回路の設計がなされる。
【０２１２】
従って、本発明による電源設計のための計算装置においては、機能ブロック回路データ・ベース５０を用いることにより、電気的仕様の数値に対応付けられている機能ブロック回路が自動的に仕様該当回路として提示され、作業者は当該仕様該当回路の中からの適当な機能ブロック回路を選択すればよいので、所定の電源の設計に際して流用される所定の機能を有する回路の種類が作業者によって異なるようなことがなくなり、当該電源の回路の品質を維持することができる。
【０２１３】
また、本発明による電源設計のための計算装置においては、作業者は、所定の画面を参照しながらガイダンスに従って選択入力作業を行い、提示された仕様該当回路の中からの適当な機能ブロック回路を選択するだけでよいので、電源の回路設計の時間を短縮することができるとともに設計間違えを抑止することができる。
【０２１４】
さらに、本発明による電源設計のための計算装置においては、機能ブロック回路データ・ベース５０を用いることにより、一般的な回路方式を利用した過去の回路資産を有効に利用することができるようになる。
【０２１５】
また、本発明による電源設計のための計算装置においては、機能ブロック回路データ・ベース５０を用いることにより、電気的仕様の数値に対応付けられている機能ブロック回路が自動的に仕様該当回路として提示され、当該仕様該当回路の中からの適当な機能ブロック回路が作業者によって選択されるので、電源の電気的仕様に合わせた回路設計が的確に行われるようになる。
【０２１６】
さらにまた、本発明による電源設計のための計算装置においては、仕様書データ・ベース３０が自動的に変換されて製品仕様書４０が作成されるので（ステップＳ１３６）、当該仕様書データ・ベース３０が示す電気的仕様の数値それぞれをワープロ等に書き直して書類化する手間を省くことができる。
【０２１７】
なお、上記した実施の形態は、以下に示す（１）〜（４）のように変形してもよい。
【０２１８】
（１）上記した実施の形態においては、説明を簡略化して理解を容易にするために、スイッチング電源の回路設計を例として説明したが、これに限られるものではないことは勿論であり、他の電気回路の設計においても用いることができる。
【０２１９】
（２）上記した実施の形態においては、データ・フォーマットとしてＴＸＴ形式（図１１「コメント」欄１１０８参照）を用いた場合について説明したが、これに限られるものではないことは勿論であり、データ・フォーマットとしては任意の形式を用いることができる。
【０２２０】
（３）上記した実施の形態において、さらに、作成された電源の回路図（図１７参照）に対して、部品番号の重複、接続間違え、電圧間違え、ディレーティング間違えなどのを計算して判定し、回路の最適な修正ガイダンスを行うような回路の検証処理を行うようにしてもよい（図１８ならびに図１９参照）。
【０２２１】
なお、こうした回路の検証処理に必要な属性は、予め機能ブロック回路に付加するようにしておくとよい。
【０２２２】
このような回路の検証処理により、回路の流用でありがちな接続間違えや電圧間違えなどのチェックが自動化されて、作業者は修正ガイダンスに従って適切な設計をすることができるので、電源の回路設計の時間を短縮することができるとともに設計間違えを抑止することができる。
【０２２３】
また、ディレーティング間違えなどのチェックが自動化されるので、部品の信用度が向上し、作成される回路の信頼性を向上することができる。
【０２２４】
（４）上記した実施の形態ならびに上記した（１）〜（３）に示す変形例は、適宜に組み合わせるようにしてもよい。
【０２２５】
【発明の効果】
本発明は、以上説明したように構成されているので、電源の回路設計を行う作業者によって電源の回路の品質にばらつきが生じるようなことなしに、当該電源の回路の品質を維持することができることができるようになるという優れた効果を奏する。
【０２２６】
また、本発明は、以上説明したように構成されているので、電源の回路設計の時間を短縮することができるとともに設計間違えを抑止することができるようになるという優れた効果を奏する。
【図面の簡単な説明】
【図１】本発明による電源設計のための計算装置の実施の形態の一例のシステム構成を表すブロック構成図である。
【図２】本発明による電源設計のための計算装置の仕様書データ・ベース作成処理を示す説明図である。
【図３】本発明による電源設計のための計算装置の仕様書データ・ベース作成処理を示す説明図である。
【図４】本発明による電源設計のための計算装置の回路合成処理を示す説明図である。
【図５】本発明による電源設計のための計算装置の回路合成処理を示す説明図である。
【図６】本発明による電源設計のための計算装置の回路合成処理を示す説明図である。
【図７】表示装置の「仕様作成」画面のＡＣ入力エリアとＤＣエリアとを示す説明図である。
【図８】表示装置の「仕様作成」画面の出力仕様エリアを示す説明図である。
【図９】表示装置の「仕様作成」画面の入力仕様エリアを示す説明図である。
【図１０】表示装置の「仕様作成」画面の仕様確認エリアを示す説明図である。
【図１１】表示装置の「仕様作成」画面の仕様読み込みエリアを示す説明図である。
【図１２】表示装置の「仕様作成」画面の入力回路エリアを示す説明図である。
【図１３】表示装置の「仕様作成」画面のコンバータ１次回路エリアとコンバータ２次回路エリアを示す説明図である。
【図１４】表示装置の「仕様作成」画面の出力回路エリアを示す説明図である。
【図１５】表示装置の「仕様作成」画面の接続確認エリアを示す説明図である。
【図１６】機能ブロックを示す説明図である。
【図１７】本発明による電源設計のための計算装置において作成された回路設計データの示すスイッチング電源の回路図の一例を示す説明図である。
【図１８】本発明による電源設計のための計算装置において作成された電源の回路図に対して行われる回路の検証処理を示す説明図である。
【図１９】本発明による電源設計のための計算装置において作成された電源の回路図に対して行われる回路の検証処理を示す説明図である。
【符号の説明】
１０            中央処理装置（ＣＰＵ）
１２            バス
１４            内部記憶装置
１６            ポインティング・デバイス
１８            文字入力デバイス
２０            表示装置
２２            外部記憶装置
２４            印刷装置
【図１】
0004504538.tif 000002
【図２】
0004504538.tif 000003
【図３】
0004504538.tif 000004
【図４】
0004504538.tif 000005
【図５】
0004504538.tif 000006
【図６】
0004504538.tif 000007
【図７】
0004504538.tif 000008
【図８】
0004504538.tif 000009
【図９】
0004504538.tif 000010
【図１０】
0004504538.tif 000011
【図１１】
0004504538.tif 000012
【図１２】
0004504538.tif 000013
【図１３】
0004504538.tif 000014
【図１４】
0004504538.tif 000015
【図１５】
0004504538.tif 000016
【図１６】
0004504538.tif 000017
【図１７】
0004504538.tif 000018
【図１８】
0004504538.tif 000019
【図１９】
0004504538.tif 000020